(57)【特許請求の範囲】
【請求項１】
ＩＨ調理器上に炊飯器部を搭載することにより炊飯可能となり、
前記炊飯器部の底部と前記ＩＨ調理器の天面とを嵌合させる嵌合構造が、前後で角部のＲが異なるよう前記炊飯器部の底部と前記ＩＨ調理器の天面にそれぞれ設けられた炊飯器であって、
前記ＩＨ調理器は、
被加熱物を電磁誘導加熱するためのＩＨコイルと、
前記炊飯器部へ電力供給する電力供給コイルと、
前記電力供給コイル及び前記ＩＨコイルから離間し、かつ前記ＩＨ調理器の隅部に設けられ、前記炊飯器部が前記ＩＨ調理器に搭載されると作動するリードスイッチとを備え、
前記炊飯器部は、
電力受給コイルと、
前記ＩＨ調理器上に前記炊飯器部が搭載された際、前記リードスイッチが配置されている位置と対向する位置近傍に設けられた磁性手段と、を有し、
前記嵌合構造により前記ＩＨ調理器上に前記炊飯器部が搭載され前記磁性手段により前記リードスイッチが作動すると、電磁誘導作用で前記電力受給コイルが前記電力供給コイルから電力を受給し、前記炊飯器部と前記ＩＨ調理器との通信が可能な状態となるよう構成されていることを特徴とする炊飯器。
【請求項２】
前記ＩＨ調理器及び前記炊飯器部は、無線通信するための通信端子を備え、
前記電力受給コイルが前記電力供給コイルから電力を受給すると、前記ＩＨ調理器と前記炊飯器部との間で前記通信端子を介して無線通信が可能な状態となることを特徴とする請求項１に記載の炊飯器。
【請求項３】
前記ＩＨ調理器の天面の外縁部と前記炊飯器部の底部の外縁部にテーパが付けられていることを特徴とする請求項１または２に記載の炊飯器。
【発明の詳細な説明】
【技術分野】
【０００１】
本実施の形態は、炊飯器に関する。
【背景技術】
【０００２】
近年、ＩＨ炊飯器が普及している。ＩＨとは、電磁誘導加熱（Induction Heating）のことである。ＩＨ炊飯器は、底部に設置したＩＨコイルにより電磁波を発生させ、その電磁波で炊飯釜の底自体を発熱させて炊飯する方式の炊飯器である。
【０００３】
また、分離型の炊飯器も知られている（特許文献１）。特許文献１に開示される炊飯器では、多用途利用できるＩＨ調理器の上に別設の炊飯器を搭載し、ＩＨ調理器側のＩＨコイルにより炊飯器側の炊飯釜を発熱させて炊飯するようになっている。
【先行技術文献】
【特許文献】
【０００４】
【特許文献１】実用新案登録３１０３６２７号公報
【発明の概要】
【発明が解決しようとする課題】
【０００５】
しかしながら、特許文献１に開示される炊飯器によると、ＩＨ調理器の上に炊飯器を搭載した状態でＩＨ調理器の操作ボタンが露出する（特許文献１の図２参照）。このＩＨ調理器は多用途利用を前提としているため、ＩＨ調理器の上に炊飯器を搭載した状態で炊飯に必要のない操作ボタンが押されてしまう可能性がある。
【０００６】
本実施の形態は、操作性を向上させた上下分離型の炊飯器を提供する。
【課題を解決するための手段】
【０００７】
本実施の形態の一態様によれば、ＩＨ調理器上に炊飯器部を搭載することにより炊飯可能となり、前記炊飯器部の底部と前記ＩＨ調理器の天面とを嵌合させる嵌合構造が、前後で角部のＲが異なるよう前記炊飯器部の底部と前記ＩＨ調理器の天面にそれぞれ設けられた炊飯器であって、前記ＩＨ調理器は、被加熱物を電磁誘導加熱するためのＩＨコイルと、前記炊飯器部へ電力供給する電力供給コイルと、前記電力供給コイル及び前記ＩＨコイルから離間し、かつ前記ＩＨ調理器の隅部に設けられ、前記炊飯器部が前記ＩＨ調理器に搭載されると作動するリードスイッチとを備え、前記炊飯器部は、電力受給コイルと、前記ＩＨ調理器上に前記炊飯器部が搭載された際、前記リードスイッチが配置されている位置と対向する位置近傍に設けられた磁性手段と、を有し、前記嵌合構造により前記ＩＨ調理器上に前記炊飯器部が搭載され前記磁性手段により前記リードスイッチが作動すると、電磁誘導作用で前記電力受給コイルが前記電力供給コイルから電力を受給し、前記炊飯器部と前記ＩＨ調理器との通信が可能な状態となるよう構成されている炊飯器が提供される。
【発明の効果】
【０００８】
本実施の形態によれば、操作性を向上させた上下分離型の炊飯器を提供することができる。
【図面の簡単な説明】
【０００９】
【図１】実施の形態に係るＩＨ炊飯器の斜視図。
【図２】図１に示されるＩＨ炊飯器が備える炊飯器部の斜視図。
【図３】図２に示される炊飯器部の断面図。
【図４】図１に示されるＩＨ炊飯器が備えるＩＨ調理器の斜視図。
【図５】図４に示されるＩＨ調理器のトッププレートを取り外した状態の斜視図。
【図６】図４に示されるＩＨ調理器の断面図。
【図７】実施の形態に係るＩＨ炊飯器の断面図。
【図８】図７に示されるＩＨ炊飯器の底面の斜視図。
【図９】図７に示される重量センサー部分を拡大した拡大図。
【図１０】実施の形態に係るＩＨ炊飯器の概略回路構成図。
【図１１】実施の形態に係るＩＨ炊飯器が備える操作部の説明図であり、（ａ）炊飯器操作部、（ｂ）計量表示部。
【図１２】図１１（ｂ）に示される計量表示部の画面遷移図。
【図１３Ａ】実施の形態に係るＩＨ炊飯器の計量炊飯動作を示すフローチャート。
【図１３Ｂ】実施の形態に係るＩＨ炊飯器の計量炊飯動作を示すフローチャート。
【図１３Ｃ】実施の形態に係るＩＨ炊飯器の計量炊飯動作を示すフローチャート。
【図１３Ｄ】実施の形態に係るＩＨ炊飯器の計量炊飯動作を示すフローチャート。
【図１３Ｅ】実施の形態に係るＩＨ炊飯器の計量炊飯動作を示すフローチャート。
【図１４】実施の形態に係るＩＨ炊飯器の重量センサーゼロ点調整動作を示すフローチャート。
【図１５】実施の形態に係るＩＨ炊飯器の重量センサー制御動作を示すフローチャート。
【図１６】実施の形態に係るＩＨ炊飯器が備えるＩＨ調理器の動作を示すフローチャート。
【図１７】実施の形態に係るＩＨ炊飯器の側面図。
【図１８】図１７に示されるＩＨ炊飯器の底面図。
【図１９】実施の形態に係るＩＨ炊飯器が備える重量センサーの回路構成図。
【図２０】図１９に示される単一ロードセルの回路構成図。
【発明を実施するための形態】
【００１０】
次に、図面を参照して、実施の形態を説明する。以下の図面の記載において、同一又は類似の部分には同一又は類似の符号を付している。
【００１１】
また、以下に示す実施の形態は、技術的思想を具体化するための装置や方法を例示するものであって、構成部品の材質、形状、構造、配置等を下記のものに特定するものでない。この実施の形態は、特許請求の範囲において、種々の変更を加えることができる。
【００１２】
［ＩＨ炊飯器の全体構成例］
図１は、実施の形態に係るＩＨ炊飯器（電磁炊飯器）１の斜視図である。このＩＨ炊飯器１は、ＩＨによる炊飯技術を使用し、無線通信・電力供給により本体とＩＨ部の分離を可能とするＩＨジャー炊飯器である。
【００１３】
具体的には、図１に示すように、ＩＨ炊飯器１は、炊飯器部１００とＩＨ調理器２００とに上下分離可能となっている。外観はジャー炊飯器であるが、炊飯器部１００を取り外すと、ＩＨ調理器２００の操作部が現れる。ＩＨ調理器２００側は単独でＩＨ調理に使用することができ、炊飯器部１００側は御櫃として食卓に簡単に運ぶことができる。
【００１４】
また、実施の形態に係るＩＨ炊飯器１は、自動計量機能を備える。これにより、炊飯量や米の銘柄に応じて「最適な水量をお知らせ」し、いつでも美味しいご飯を炊き上げ、お米の特色をより楽しむことができる。
【００１５】
また、実施の形態に係るＩＨ炊飯器１は、米の銘柄炊き分け機能を備える。これにより、米の銘柄や各メニューの炊飯に対し、温度センサー情報から電力と炊飯工程の時間を制御し、美味しいご飯を炊き上げることができる。
【００１６】
［炊飯器部の構成例］
以下、炊飯器部１００の構成を詳細に説明する。
【００１７】
図２は、図１に示されるＩＨ炊飯器１が備える炊飯器部１００の斜視図である。図２に示すように、炊飯器部１００は、蓋部１００Ａと、炊飯器本体１００Ｂと、底部１００Ｃとを備える。蓋部１００Ａの天面には、炊飯器部１００を操作するための炊飯器操作部１０１が設けられている。炊飯器本体１００Ｂの前面には、米や水の重量を表示する計量表示部１０２が設けられている。炊飯器部１００の外観は略直方体状である。使用者から計量表示部１０２が見えやすくするため、炊飯器本体１００Ｂの前面をやや傾斜させるのが望ましい。
【００１８】
底部１００Ｃの外縁部は、ＩＨ調理器２００の天面の外縁部と嵌合する構造になっている。具体的には８．５ｍｍ程度、炊飯器部１００側の筐体とＩＨ調理器２００側の筐体とがオーバーラップするようになっている。ＩＨ調理器２００の設置面積と炊飯器部１００の設置面積がほぼ等しいため、上下の筺体がぴったり一致し、外観がスマートであるとともに、省スペース化を図ることができる。上下嵌合の工夫として、ＩＨ調理器２００の天面の外縁部と底部１００Ｃの外縁部にテーパを付けてもよいし、前後の間違いをなくすため前後でＲが異なるようにしてもよい。
【００１９】
図３は、図２に示される炊飯器部１００の断面図である。図３に示すように、後方側に設けた蓋ヒンジ１２９を支点として蓋部１００Ａの前方側が上下方向に回動するようになっている。この前方側の蓋部１００Ａと炊飯器本体１００Ｂとの対向位置に蓋ロック機構１２４を設けている。炊飯器本体１００Ｂの上部開口から内釜（炊飯釜）１２１を収容する。内釜１２１の周囲に断熱材や保護枠を設け、内釜１２１の底に温度を計測するサーミスタ１３１を設けている。内釜１２１内で発生した蒸気は、内蓋１２７に設けた蒸気筒１２８を介して外部に排出される。炊飯器本体１００Ｂの側壁部には、炊飯器部１００を持ち運ぶためのハンドルが回動自在に設けられている。
【００２０】
炊飯器操作部１０１の近傍には、炊飯器操作部１０１を制御する炊飯器操作基板１２６が配置されている。計量表示部１０２の近傍には、計量表示部１０２を制御する計量表示基板１２３が配置されている。計量表示基板１２３の下方には、通信端子１１２や電力受給コイルが接続されたインターフェース基板１２２が配置されている。通信端子１１２は、ＩＨ調理器２００と無線通信するための端子である。電力受給コイルは、ＩＨ調理器２００側の電力供給コイルから電磁誘導により電力を受給するためのコイルである。
【００２１】
なお、ここでは、炊飯器部１００の底にサーミスタ１３１を設けた場合を例示しているが、これに限定されるものではない。例えば、サーミスタ１３１は、炊飯器部１００の側面に設けてもよいし、内蓋１２７に設けてもよい。
【００２２】
［ＩＨ調理器の構成例］
以下、ＩＨ調理器２００の構成を詳細に説明する。
【００２３】
図４は、図１に示されるＩＨ炊飯器１が備えるＩＨ調理器２００の斜視図である。図４に示すように、ＩＨ調理器２００は、食卓などの上に置いて使用する卓上型の電磁調理器であり、外観は薄型の略直方体状である。ＩＨ調理器本体２００Ａの上部開口を塞ぐように、結晶化ガラス等で構成されたトッププレート２００Ｂが配置されている。ＩＨ調理器２００の天面の前方側には、電源ボタンや温度調整ボタンなどを有するＩＨ操作部２０１が設けられている。トッププレート２００ＢとＩＨ操作部２０１とは平面視で互いに重ならないように配置される。ＩＨ調理器２００の後方側には、マグネットで着脱自在に電源コードのプラグを装着する差し込み口が設けられている。
【００２４】
図５は、図４に示されるＩＨ調理器２００のトッププレート２００Ｂを取り外した状態の斜視図である。図５に示すように、ＩＨ調理器本体２００Ａ上のトッププレート２００Ｂを取り外すと、ＩＨコイル２１１と、電力供給コイル２１２と、通信端子２１３と、リードスイッチ２１４が現れる。ＩＨコイル２１１は、被加熱物を電磁誘導加熱する加熱コイルである。電力供給コイル２１２は、炊飯器部１００側の電力受給コイルに電磁誘導により電力を供給するためのコイルである。通信端子２１３は、炊飯器部１００と無線通信するための端子である。リードスイッチ２１４は、磁石を近づけると作動するスイッチである。これら部材の作用については後述する。
【００２５】
図６は、図４に示されるＩＨ調理器２００の断面図である。図６に示すように、ＩＨ調理器本体２００Ａのほぼ中央の上部にＩＨコイル２１１が配置されている。ＩＨ調理器本体２００Ａの内部で発生した熱はＦＡＮ２２１により外部に排気される構造になっている。ＩＨ調理器本体２００Ａの上部の前方側には、ＩＨ操作部２０１を制御するＩＨ操作基板２２４が配置されている。その近傍には、ＩＨ加熱用のメイン基板２２５が配置されている。ＩＨ調理器本体２００Ａの底部の四隅から外表面に４つの台座部２２３が突き出している。台座部２２３は、金型入れ子対応で重量センサーを取り付け可能となっている。
【００２６】
［重量センサーの構成例］
以下、重量センサーの構成を詳細に説明する。
【００２７】
図７は、実施の形態に係るＩＨ炊飯器１の断面図である。図８は、図７に示されるＩＨ炊飯器１の底面の斜視図である。図９は、図７に示される重量センサー部分（台座部２２３）を拡大した拡大図である。
【００２８】
図７〜図９に示すように、四隅の台座部２２３に歪ゲージ２２３Ｂを設け、重量測定を行う。具体的には、ベース部材２２３Ａに歪ゲージ２２３Ｂ、重量センサー台座２２３Ｃ、ゴム足２２３Ｄを取り付け、重量センサーカバー２２３Ｅで固定している。ＩＨ調理器２００に炊飯器部１００が搭載されると、ゴム足２２３Ｄが重量センサー台座２２３Ｃ全体を押し上げ、歪ゲージ２２３Ｂを変形させる。これにより、各歪ゲージ２２３Ｂの歪に基づいて重量センサー基板２２４ａ（図１０参照）が重量測定を行うようになっている。
【００２９】
［炊飯器の概略回路構成例］
図１０は、実施の形態に係るＩＨ炊飯器１の概略回路構成図である。
【００３０】
図１０に示すように、ＩＨ調理器２００のメイン基板２２５にはマグネットプラグ２２６を介して電源コードが接続される。ＩＨ調理器２００に炊飯器部１００が搭載されると、炊飯器部１００側の検知用磁石１１１がＩＨ調理器２００側のリードスイッチ２１４をオンするようになっている。
【００３１】
この状態で、ＩＨ調理器２００のメイン基板２２５は、ＩＨ操作基板２２４を介して駆動信号を電力供給コイル２１２に印加する。これにより、電磁誘導作用で炊飯器部１００側の電力受給コイル１１３に電力信号が発生し、インターフェース基板１２２を介して計量表示基板１２３や炊飯器操作基板１２６等に印加される。その結果、ＩＨ調理器２００側の通信端子２１３と炊飯器部１００側の通信端子１１２を介して赤外線通信等の無線通信が可能となる。
【００３２】
この状態で炊飯器操作部１０１（図２参照）が操作されると、その操作信号が炊飯器操作基板１２６から通信端子１１２・２１３を介してＩＨ調理器２００側のメイン基板２２５に伝送される。メイン基板２２５は、受信した操作信号に基づいてＩＨコイル２１１への電流供給の開始や停止を制御したり、ＩＨコイル２１１に流す高周波電流の電流値を制御したりする。この制御において、重量センサー基板２２４ａから得られる被炊飯物（米や水など）の重量情報や、サーミスタ１３１から得られる内釜１２１の温度情報を利用することができる。重量情報は、炊飯器部１００側の計量表示基板１２３を介して計量表示部１０２（図２参照）に表示することも可能である。
【００３３】
以上のように、実施の形態に係るＩＨ炊飯器１は、ＩＨによる炊飯技術を使用し、無線通信・電力供給により炊飯器部１００とＩＨ調理器２００の分離を可能として、重量センサーでもって米・水の計量を行う。このような自動計量機能を備えているため、炊飯量や米の銘柄に応じて「最適な水量をお知らせ」し、いつでも美味しいご飯を炊き上げ、お米の特色をより楽しむことができる。
【００３４】
なお、ＩＨ調理器２００に炊飯器部１００が搭載されていない状態では、ＩＨ調理器２００の天面が露出しているため、ＩＨ操作部２０１（図４参照）を操作することができる。ＩＨ操作部２０１が操作されると、その操作信号がＩＨ操作基板２２４からメイン基板２２５に伝送されるようになっている。すなわち、ＩＨ調理器２００から炊飯器部１００を取り外すと、ＩＨ調理器２００の操作部２０１が現れるため、ＩＨ調理器２００側は単独でＩＨ調理に使用することができる。
【００３５】
［操作部の構成例］
図１１は、実施の形態に係るＩＨ炊飯器１が備える操作部の説明図である。
【００３６】
具体的には、図１１（ａ）は、炊飯器部１００の天面に設けられた炊飯器操作部１０１を示している。炊飯器操作部１０１は、表示部Ｄ１に加え、メニューボタンＢ１、保温／取消ボタンＢ２、米銘柄ボタンＢ３、炊飯ボタンＢ４等の各種ボタンを備える。表示部Ｄ１は、ＩＨ炊飯器１の設定状況等を表示する表示装置である。メニューボタンＢ１は、炊き方等を選択するためのボタンである。保温／取消ボタンＢ２は、保温とその取り消しを指示するためのボタンである。米銘柄ボタンＢ３は、お米の銘柄を選択するためのボタンである。米銘柄ボタンＢ３を押すことにより、こしひかり、あきたこまち、つや姫、ゆめぴりか、ひとめぼれ、ヒノヒカリ等の銘柄を選択することができる。炊飯ボタンＢ４は、炊飯を指示するためのボタンである。
【００３７】
また、図１１（ｂ）は、炊飯器部１００の前面に設けられた計量表示部１０２を示している。計量表示部１０２は、表示部Ｄ１１に加え、計量ボタンＢ１１を備える。表示部Ｄ１１は、計量値等を表示する表示装置である。計量ボタンＢ１１は、計量モードの使用等を指示するためのボタンである。
【００３８】
［計量操作例の概要］
以下、計量操作例の概要を説明する。
【００３９】
まず、使用者は、炊飯器操作部１０１においてメニュー・かたさ・米銘柄を選択し、炊飯器部１００の蓋部１００Ａを開け、内釜１２１にお米を入れる。次いで、計量表示部１０２の計量ボタンＢ１１を押し（表示で米重量がナビゲートされる）、内釜１２１を取り出し洗米したのち、炊飯器部１００に内釜１２１をセットし、その後、内釜１２１に水を入れていく（表示と音で水量がナビゲートされる）。ここでは、使用者に計量モードの使用を認識させるために計量ボタンＢ１１を押すこととしているが、蓋部１００Ａを開けたら自動で計量モードに移行するようにしてもよい。最後に、炊飯器部１００の蓋部１００Ａを閉じ、炊飯器操作部１０１の炊飯ボタンＢ４を押すと、炊飯が開始される。
【００４０】
［計量操作例の詳細］
図１２は、図１１（ｂ）に示される計量表示部１０２の画面遷移図である。
【００４１】
まず、使用者が計量モードにおいて内釜１２１にお米を入れると、米重量が測定される。ここで、米重量が規定範囲以下の場合、図１２（ａ）に示すように、表示部Ｄ１１に「米を入れて計量ボタンを押す」等と表示する（計量ボタンＢ１１点滅）。なお、計量モードに入る前には内釜１２１を炊飯器本体１００Ｂに装着した状態でゼロ点調整が行われているが、詳細は後述する。一方、米重量が許容重量より多い場合、図１２（ｂ）に示すように、表示部Ｄ１１にエラーを表示する（計量ボタンＢ１１消灯）。
【００４２】
次いで、使用者が計量ボタンＢ１１を押すと、米重量が確定し、水計量モードに移行する。ただし、計測した米重量が仕様重量範囲外なら水計量モードに移行せず、米計量モードのままである。問題がなければ、図１２（ｃ）に示すように、表示部Ｄ１１に「（洗米後、）水を入れる」等と表示する。このとき、表示部Ｄ１１には、必要水量を表示するようになっている。
【００４３】
次いで、洗米（無洗米ならこのステップは不要である）し、図示しないカップなどにより水を追加していくと、水重量が測定され、図１２（ｄ）に示すように、水量の追加とともに、表示部Ｄ１１に表示される必要水量は減少していく。水重量が最適範囲に入ったら「ピッ」と一度音を鳴らし、最適範囲から外れたら「ピッ、ピッ」と二度音を鳴らす。最適値範囲では、図１２（ｅ）に示すように、表示部Ｄ１１に「０」等と表示し、最適値範囲を過ぎたら、図１２（ｆ）に示すように、表示部Ｄ１１に「水を減らす」等と表示する。
【００４４】
最後に、蓋部１００Ａを閉じると、計量表示を消灯する。この状態で炊飯ボタンＢ４（または予約後に炊飯ボタンＢ４）を押すと、炊飯が開始される。
【００４５】
［計量炊飯動作例］
図１３Ａ〜Ｅは、ＩＨ炊飯器１の計量炊飯動作を示すフローチャートである。
【００４６】
まず、炊飯器部１００がＩＨ調理器２００の上に載っていない場合、炊飯器操作部１０１は時刻表示のみ、計量表示部１０２は消灯のままである（Ｓ１→Ｓ２→Ｓ３→Ｓ２）。炊飯器部１００がＩＨ調理器２００の上に載ると、炊飯器操作部１０１のメニュー表示等は起動するが、計量表示部１０２は消灯のままである（Ｓ２→Ｓ４）。このとき、メニュー・銘柄・かたさについては以前の情報が維持されている（Ｓ５）。
【００４７】
次いで、使用者がメニューボタンＢ１を押すと、メニュー選択が切り替わる（Ｓ６→Ｓ７→Ｓ６）。例えば、（１）無洗米→（２）無洗米，新米→（３）無洗米，省エネ→（４）無洗米，早炊き→（５）白米→（６）白米，新米→（７）白米，省エネ→（８）白米，早炊き→（９）炊き込み→（１０）おかゆ→（１１）玄米→（１２）煮込み／蒸し→（１）無洗米→・・・の順に切り替わるようになっている。
【００４８】
次いで、使用者が米銘柄ボタンＢ３を押すと、選択メニューが白米または無洗米でない場合、銘柄選択は消灯のままである（Ｓ８→Ｓ９→Ｓ１０→Ｓ８）。一方、選択メニューが白米または無洗米である場合、銘柄選択が切り替わる（Ｓ８→Ｓ９→Ｓ１１→Ｓ８）。例えば、（０）その他→（１）こしひかり→（２）あきたこまち→（３）つや姫→（４）ゆめぴりか→（５）ひとめぼれ→（６）ヒノヒカリ→（０）その他→・・・の順に切り替わるようになっている。
【００４９】
次いで、使用者がかたさボタンを押すと、選択メニューが白米または無洗米でない場合、かたさ選択は消灯のままである（Ｓ１２→Ｓ１３→Ｓ１４→Ｓ１２）。一方、選択メニューが白米または無洗米である場合、かたさ選択が切り替わる（Ｓ１２→Ｓ１３→Ｓ１５→Ｓ１２）。例えば、（１）標準→（２）かため→（３）やわらか→（１）標準→・・・の順に切り替わるようになっている。
【００５０】
次いで、蓋部１００Ａが開いており、重量が釜妥当重量以上になっており、保温が「切」になっている場合、計量表示をスタートする（Ｓ１６→Ｓ１８→Ｓ２０→Ｓ２４）。釜妥当重量とは、釜重量から所定値を引いた重量である。
【００５１】
一方、蓋部１００Ａが開いていないか、重量が釜妥当重量以上になっていないか、保温が「切」になっていない場合、そのままの状態とする（Ｓ１６→Ｓ１７，Ｓ１８→Ｓ１９，Ｓ２０→Ｓ２１）。ただし、保温／取消ボタンＢ２が押された場合、計量表示をスタートする（Ｓ２１→Ｓ２２→Ｓ２４）。また、蓋部１００Ａが閉じられた場合（Ｓ２３：ＹＥＳ）、ステップＳ１６に戻る。
【００５２】
次いで、計量表示をスタートしてから１０分以上放置されている場合、計量ボタンＢ１１が押されない限り、計量表示を消灯する（Ｓ２５→Ｓ２６→Ｓ２７→Ｓ２６）。１０分以上放置されていない場合でも、保温／取消ボタンＢ２が押されたときは、計量ボタンＢ１１が押されない限り、省エネの観点から計量表示を消灯する（Ｓ２５→Ｓ２８→Ｓ２９→Ｓ３０→Ｓ２９）。
【００５３】
一方、１０分以上放置されることも保温／取消ボタンＢ２が押されることもなかった場合において、米重量が炊飯メニューの許容米重量・上限以下であるときは、「米を入れて計量ボタンを押す」等と表示する（Ｓ２５→Ｓ２８→Ｓ３１→Ｓ３３）。米重量が炊飯メニューの許容米重量・上限以下でないときは、エラーを表示する（Ｓ２５→Ｓ２８→Ｓ３１→Ｓ３２）。なお、本フローでは放置時間を１０分としたが、これに限定されるものではない。
【００５４】
次いで、米重量が炊飯メニューの許容米重量内である場合、「米を入れて計量ボタンを押す」の表示を維持し、計量ボタンＢ１１を点滅させる（Ｓ３４→Ｓ３５）。これにより、使用者が計量ボタンＢ１１を押すと、米重量が許容米重量の範囲内である場合、米重量を記憶して、その米状量に最適な水量を表示させる。具体的には水計量モード「○○ｃｃ水を入れる（減らす）」等と表示する（Ｓ３６→Ｓ３７→Ｓ３８）。なお、許容米重量「○合〜○合」は、炊飯メニューごとに決められている。
【００５５】
ここで、メニューが「無洗米」である場合、「○○ｃｃ水を入れる」等と表示する（Ｓ３９→Ｓ４０）。一方、メニューが「無洗米」以外である場合、「○○ｃｃ洗米後、水を入れる」等と表示する（Ｓ３９→Ｓ４１）。
【００５６】
次いで、取消ボタンが押されなかった場合において、水（＋米）重量が最適水量範囲内でないときは、「ピッ、ピッ」と音を鳴らし、炊飯ボタンＢ４と予約ボタンを消灯させる（Ｓ４２→Ｓ４３→Ｓ４４→Ｓ４３）。一方、水（＋米）重量が最適水量範囲内であるときは、「ピッ」と音を鳴らし、炊飯ボタンＢ４と予約ボタンを点滅させ、蓋部１００Ａが閉じていれば、計量モードを解除して「時刻モード：００：００」等と表示する（Ｓ４２→Ｓ４３→Ｓ４５→Ｓ４６→Ｓ４７）。なお、最適水量範囲「最適水量±○％」は、炊飯メニュー・銘柄・かたさ設定の組み合わせに基づいて決められている。さらに最適水量範囲になったら、蓋部１００Ａを閉じるように表示や音声等で促すことが望ましい。
【００５７】
次いで、使用者が予約ボタンを押すと、予約モードに移行して「００：００」等と表示し、「予約１」を点灯させて以前の登録時間を表示する（Ｓ４８→Ｓ４９→Ｓ５０）。ここで、使用者が取消ボタンも予約ボタンも押すことなく時・分ボタンを押すと、予約１の登録時間を更新する（Ｓ５１→Ｓ５２→Ｓ５８→Ｓ５９）。一方、使用者が取消ボタンを押すことなく予約ボタンを押すと、「予約２」を点灯させて以前の登録時間を表示し、使用者が予約ボタンを押すことなく時・分ボタンを押すと、予約２の登録時間を更新する（Ｓ５１→Ｓ５２→Ｓ５３→Ｓ５４→Ｓ５６→Ｓ５７）。なお、ステップＳ５４において使用者が予約ボタンを押した場合、予約モードを解除して「時刻モード：００：００」等と表示する（Ｓ５４→Ｓ５５）。
【００５８】
最後に、使用者が炊飯ボタンＢ４を押すと、蓋部１００Ａが閉じている場合、選択された炊飯メニュー・銘柄コースにて炊飯を開始する（Ｓ６０→Ｓ６１→Ｓ６２）。その後、炊飯が完了したら保温を開始し（Ｓ６３）、ステップＳ１６に戻る。
【００５９】
［重量センサーゼロ点調整動作例］
図１４は、重量センサーゼロ点調整動作を示すフローチャートである。
【００６０】
まず、蓋部１００Ａが開いていない場合、そのままの状態とする（Ｓ７１→Ｓ７２）。一方、蓋部１００Ａが開いている場合において、使用者が計量ボタンＢ１１を長押ししたときは、重量が釜重量妥当範囲に入っていれば、ゼロ点調整を開始し、米計量モードに移行する（Ｓ７１→Ｓ７３→Ｓ７４→Ｓ７５→Ｓ７６）。釜重量妥当範囲「釜重量±○％」は、釜重量に基づいて決められている。
【００６１】
［重量センサー制御動作例］
図１５は、重量センサー制御動作を示すフローチャートである。
【００６２】
まず、４点の重量センサー（歪ゲージ）のセンサー値を計測し、次式に基づいて一定時間の値を平均する（Ｓ８１→Ｓ８２）。
【００６３】
センサー出力平均（電圧）＝平均（センサー出力ＡＬＬ（電圧））
次いで、次式に基づいて出力電圧を荷重（重量）に変換する（Ｓ８３）。歪ゲージ係数は、現物確認・実験により決定する。
【００６４】
測定値［ｇ］＝（センサー出力平均（電圧））／（歪ゲージ係数［電圧／Ｎ］）／ｇ（重力加速度［ｍ／ｓ＾２］）
次いで、次式に基づいて計測重量を算出する（Ｓ８４）。
【００６５】
計量重量［ｇ］＝測定値［ｇ］−ゼロ点重量［ｇ］
このとき、米計量モードである場合、米重量をｇ単位で記録する（Ｓ８５→Ｓ８６）。一方、水計量モードである場合、次式に基づいて水重量をｃｃ単位で出力する（Ｓ８７→Ｓ８８）。
【００６６】
出力値［ｃｃ］＝（記録した米重量・米の銘柄等から算出された必要水量［ｃｃ］）−（（計量重量［ｇ］）−（記録した米重量［ｇ］））
［ＩＨ調理動作例］
図１６は、ＩＨ調理器２００の動作を示すフローチャートである。
【００６７】
まず、炊飯器部１００がＩＨ調理器２００の上に載っている場合、ＩＨ操作部２０１の表示をオフにする（Ｓ９１→Ｓ９２→Ｓ９３→Ｓ９２）。また、炊飯器部１００がＩＨ調理器２００の上に載っていない場合でも、使用者が「加熱スタート」または「揚げ物スタート」のボタン２０１ａまたは２０１ｂを押すまでは、ＩＨ操作部２０１の表示をオフにする（Ｓ９４→Ｓ９５→Ｓ９２）。
【００６８】
次いで、使用者が「加熱スタート」または「揚げ物スタート」のボタン２０１ａまたは２０１ｂを押すと、最低火力で加熱をスタートする（Ｓ９４→Ｓ９６）。最低火力で加熱スタートする理由は、不用意な温度の上昇を防止して、安全性を確保するためである。また、使用者が「強く」のボタン２０１ｃを押すと、それに応じて火力をアップさせ（Ｓ９７→Ｓ９８）、「弱く」のボタン２０１ｄを押すと、それに応じて火力をダウンさせる（Ｓ９９→Ｓ１００）。最後に、使用者が「切」のボタン２０１ｅを押すと、電力をダウンさせる（Ｓ１０１→Ｓ１０２）。
【００６９】
［米の銘柄と食味について］
以下、米の銘柄と食味の関係について説明する。
【００７０】
銘柄「コシヒカリ」「ヒノヒカリ」「あきたこまち」は、食味に関して比較的もっちりで、米の硬さは比較的硬い部類に属する。また、銘柄「ゆめぴりか」「森のくまさん」「ひとめぼれ」「つや姫」は、食味に関して比較的もっちりで、米の硬さは比較的柔らかい部類に属する。また、銘柄「ななつぼし」「はえぬき」「まっしぐら」は、食味に関して比較的あっさりで、米の硬さは比較的硬い部類に属する。また、銘柄「ササニシキ」は、食味に関して比較的あっさりで、米の硬さは比較的柔らかい部類に属する。
【００７１】
このように、米の銘柄によって食味や物性が異なるため、ＩＨ調理器２００のメイン基板２２５は、炊飯器操作部１０１の米銘柄ボタンＢ３で選択された米の銘柄に応じて、炊き上げ工程において付与する熱量（電力）を算出し、算出された熱量に基づいてＩＨコイル２１１等を制御する。これにより、銘柄ごとの炊き分けを的確に行うことが可能である。
【００７２】
以上のように、実施の形態に係るＩＨ炊飯器１は、ＩＨ調理器２００に炊飯器部１００を搭載することにより炊飯可能となるＩＨ炊飯器１である。ＩＨ調理器２００は、被加熱物を電磁誘導加熱するＩＨコイル２１１と、当該ＩＨ調理器２００の操作部であるＩＨ操作部２０１とを備える。炊飯器部１００は、被炊飯物を収容する内釜１２１と、当該炊飯器部１００の操作部である炊飯器操作部１０１とを備える。ＩＨ調理器２００に炊飯器部１００を搭載した状態でＩＨ操作部２０１が炊飯器部１００に覆い隠される。これにより、ＩＨ調理器２００の上に炊飯器部１００を搭載した状態でＩＨ操作部２０１を操作することができないため、操作ミスが防止され、操作性を向上させることができる。また、このようにＩＨ操作部２０１が炊飯器部１００に覆い隠される構成によれば、炊飯器部１００の設置面積が小さい割に炊飯量を多くすることが可能である。上下を分離すると、ＩＨ調理器２００側は単独でＩＨ調理に使用することができ、炊飯器部１００側は御櫃として食卓に簡単に運ぶことができるという効果もある。
【００７３】
また、ＩＨ調理器２００の天面にＩＨ操作部２０１を設け、ＩＨ調理器２００の天面の外縁部と炊飯器部１００の底面の外縁部とが嵌合する構造であってもよい。すなわち、ＩＨ調理器２００の設置面積と炊飯器部１００の設置面積がほぼ等しいため、上下の筺体がぴったり一致し、外観がスマートであるとともに、省スペース化を図ることができる。
【００７４】
また、実施の形態に係るＩＨ炊飯器１は、自動計量機能を備える。これにより、炊飯量や米の銘柄に応じて「最適な水量をお知らせ」し、いつでも美味しいご飯を炊き上げ、お米の特色をより楽しむことができる。具体的には内釜１２１に収容された被炊飯物の重量を計量する重量センサーを備えてもよい。
【００７５】
また、重量センサーをＩＨ調理器２００側に設けてもよい。これにより、炊飯器部１００側のスペースを確保することができる。
【００７６】
また、重量センサーをＩＨ調理器２００の底面の四隅に設け、四隅の重量センサーのセンサー値を平均することで被炊飯物の重量を算出してもよい。これにより、ＩＨ炊飯器１の設置場所が傾いている場合でも、四隅の重量センサーのセンサー値を平均化することができるため、より計量の精度を向上させることが可能である。
【００７７】
また、ＩＨ調理器２００から炊飯器部１００に非接触給電方式で電力が供給されてもよい。これにより、炊飯器部１００には電源コード等を接続する必要がないため、炊飯器部１００を取り外し、御櫃として持ち運ぶのが容易である。
【００７８】
また、内釜１２１の温度を計測するサーミスタ１３１を備え、炊飯器部１００からＩＨ調理器２００に赤外線で内釜１２１の温度が伝送されてもよい。これにより、赤外線はＩＨの影響を受けないため、精度よく内釜１２１の温度を伝送することができる。
【００７９】
また、炊飯器部１００の前面に傾斜部を設け、その傾斜部に重量センサーにより計量された重量を表示する計量表示部１０２を設けてもよい。これにより、使用者から計量表示部１０２が見えやすくなるため、より使い勝手のよいＩＨ炊飯器１を提供することが可能となる。
【００８０】
また、実施の形態に係るＩＨ炊飯器１は、銘柄炊き分け機能を備える。これにより、米の銘柄や各メニューの炊飯に対し、温度センサー情報から電力と炊飯工程の時間を制御し、美味しいご飯を炊き上げることができる。
【００８１】
また、本実施の形態に係るＩＨ炊飯器１は、計量機能を備えているが、仮に計量機能を有さないＩＨ炊飯器であっても各炊飯モードに応じて、炊飯する米の合数判定を行う制御を備えておいてもよい。これにより、各炊飯モード（炊き込み、おかゆ等の炊飯態様を含む）や米の合数に応じて、最適な炊き上がりを確保することができる。
【００８２】
以上説明したように、本実施の形態によれば、操作性を向上させた上下分離型のＩＨ炊飯器１を提供することができる。
【００８３】
[炊飯器の重心位置に対する重量検知脚の配置関係]
ところで、炊飯器でおいしいご飯を炊き上げるためには、お米の合数（重量）に対して最適な水量を投入することが重要である。そのため、重量センサーには、検知精度の高いもの（具体的にはグラムオーダーの精度のもの）を用いる必要がある。
【００８４】
実際に炊飯器において水量を精確に調整しようとする場合、いちいち蓋を閉めて重量測定すると時間がかかり、操作性も煩わしくなる。このような場合は、蓋を開けた状態で重量測定することが望ましい。
【００８５】
しかしながら、蓋を開けると、蓋の重量分が上方に移動する。そうすると、炊飯器の重心は、蓋を閉めた状態に比べて上方に移動するため不安定になりやすい。このような動作によるふらつき及び不安定さを抑えるためには、脚を多く備えることが好ましい。特に、ヒンジ側はその影響を受けやすいため、少なくとも脚を２つ備えておくべきである。さらに、炊飯器手前側とヒンジ側の前後方向だけではなく、直交する左右方向のふらつき（不安定さ）も抑えられれば、安定した重量測定が可能となる。
【００８６】
また、重量を検知するためには重量センサーを用いるが、以前から脚を重量検知脚として兼用する炊飯器や調理機器などが特許出願されている（例えば、特許第５２３１５９１号）。特許第５２３１５９１号は、蓋を閉じた状態の重量検知精度の向上と、蓋を開けた状態の安定性の向上とを両立させることを目的にして、炊飯器の重心位置に対する重量検知脚の配置関係を規定したものである。
【００８７】
しかしながら、特許第５２３１５９１号は、蓋を閉じて内容物を重量測定するものであり、そもそも安定した状態で重量測定することを前提としている。すなわち、蓋を開けた不安定状態で重量測定することについては何ら考慮されていない。
【００８８】
そこで、本実施の形態は、蓋を開けた状態でもグラムオーダーの高精度な重量測定を達成することが可能な炊飯器を提供する。
【００８９】
（実施技術）
重量検知脚１つで重量測定できれば、コスト面／設計面で理想である。しかし、例えば、設置面に凹凸があり、ちょうどその位置に重量検知脚がある場合は、設置面から重量検知脚が浮いてしまい、重量測定できないことが起こり得る。
【００９０】
また、脚が少なくとも３つあれば、基本的に本体安定性は得られる。しかし、３本脚では、蓋を開ける際や蓋を開けた状態で、炊飯器本体が安定性、特に左右方向に対して弱くなる。なお、そのうちの１つを重量検知脚にしたところで、上記と同様の不具合が発生するため、重量検知脚が２つ以上必要となる。
【００９１】
それら不安定要因をなくすために、脚を４つ以上用いる。そうすることで、３本脚に比べ、前後左右、特に左右方向のふらつき／不安定さを抑えられる。また、そのうち４つを重量検知脚としておけば（特にヒンジ側に少なくとも２つの重量検知脚を備えれば）、蓋開時のふらつき／不安定さを吸収しつつ、仮にある重量検知脚が設置面から離れたとしても残りの重量検知脚で重量測定をカバーできる。これにより、蓋が開いた状態でもグラムオーダーの高精度な重量測定を達成することが可能となる。
【００９２】
（重量測定構成例）
図１７は、実施の形態に係るＩＨ炊飯器１の側面図である。蓋ロック機構１２４（図３参照）によるロックを解除すると、蓋ヒンジ１２９の回転軸１２９ａを支点として蓋部１００Ａの前方側が上方向に回動し、略垂直な状態で静止するようになっている。蓋部１００Ａを開けた状態のＩＨ炊飯器１の重心をＧとする。
【００９３】
図１８は、図１７に示されるＩＨ炊飯器１の底面図である。ここでは、ＩＨ炊飯器１の底部の四隅に４つの台座部２２３を備えた場合を例示している。４つの台座部２２３の全てに重量センサーが取り付けられている。以下の説明では、台座部２２３を重量検知脚２２３と呼ぶ。また、４つの重量検知脚２２３を区別する場合は、重量検知脚２２３Ａ，２２３Ｂ，２２３Ｃ，２２３Ｄと呼ぶ。
【００９４】
図１８に示すように、２つの重量検知脚２２３Ｃ，２２３Ｄは、重心Ｇに対して蓋ヒンジ１２９側で回転軸１２９ａ方向に対して両端に位置する。一方、２つの重量検知脚２２３Ａ，２２３Ｂは、重心Ｇに対して蓋ヒンジ１２９の反対側で回転軸１２９ａ方向に対して両端に位置する。重量検知脚２２３Ａ，２２３Ｂ，２２３Ｃ，２２３Ｄで形成される四角形の２つの仮想対角線をＬ１，Ｌ２とし、２つの仮想対角線Ｌ１，Ｌ２の交点をＰとする。この場合、重心Ｇは、２つの仮想対角線Ｌ１，Ｌ２の交点Ｐより蓋ヒンジ１２９側にあるのが望ましい。
【００９５】
具体的には、交点Ｐと重量検知脚２２３Ａ，２２３Ｂとで形成される三角形の領域を「領域Ｅ１」とする。領域Ｅ１の内側に重心Ｇがある場合は、米の偏りや水投入による振動の影響を受けやすく、前後方向にふらつきやすくなる。
【００９６】
また、交点Ｐと重量検知脚２２３Ｂ，２２３Ｃとで形成される三角形の領域を「領域Ｅ２」とする。領域Ｅ２の内側に重心Ｇがある場合は、蓋部１００Ａを開ける際や蓋部１００Ａを開けた状態で左右方向にふらつきやすくなる。
【００９７】
また、交点Ｐと重量検知脚２２３Ｄ，２２３Ａとで形成される三角形の領域を「領域Ｅ４」とする。領域Ｅ４の内側に重心Ｇがある場合も、蓋部１００Ａを開ける際や蓋部１００Ａを開けた状態で左右方向にふらつきやすくなる。
【００９８】
最後に、交点Ｐと重量検知脚２２３Ｃ，２２３Ｄとで形成される三角形の領域を「領域Ｅ３」とする。領域Ｅ３の内側に重心Ｇがある場合は、重心Ｇが２つの仮想対角線Ｌ１，Ｌ２の交点Ｐより蓋ヒンジ１２９側にあるため、前後方向にも左右方向にもふらつきにくくなる。
【００９９】
そこで、領域Ｅ３の内側に重心Ｇがくるように各構成部品を配置する。ここでは、重量物である内釜１２１やＩＨコイル２１１などをＩＨ炊飯器１の後方寄りに配置している。これにより、蓋部１００Ａを開けた状態のＩＨ炊飯器１の重心Ｇを内釜１２１の中心Ｏの直下近傍に配置することができる（図１７参照）。ここで、内釜１２１の中心Ｏとは、内釜１２１の体積中心（空間中心）を意味する。
【０１００】
なお、ここでは４つの重量検知脚２２３を備えた場合を例示したが、５つ以上の重量検知脚２２３を備えた場合でも同様、２つのヒンジ側重量検知脚を頂点に含む三角形の領域の内側に重心Ｇがあればよい。２つのヒンジ側重量検知脚とは、重心Ｇに対して蓋ヒンジ１２９側で回転軸１２９ａ方向に対して両端に位置する重量検知脚である。この場合も、重心Ｇが仮想対角線の交点より蓋ヒンジ１２９側にある点は同様であるため、前後方向にも左右方向にもふらつきにくくなる。
【０１０１】
（重量測定動作例）
重量測定動作例は、図１３〜図１５において説明した通りである。すなわち、ＩＨ炊飯器１の操作開始に際し、蓋部１００Ａが開いている状態で重量センサーのゼロ点調整を行うようになっている（図１４、Ｓ７１→Ｓ７３→Ｓ７４→Ｓ７５）。また、ゼロ点調整を行った後、蓋部１００Ａが開いている状態で内釜１２１に収容された被炊飯物の重量を計量するようになっている（図１３ＢのＳ１６→Ｓ１８→Ｓ２０→Ｓ２４、図１３ＤのＳ４６→Ｓ４７）。もちろん、蓋部１００Ａを閉めた状態で重量センサーのゼロ点調整を行ったり、内釜１２１に収容された被炊飯物の重量を計量することができるようにしてもよい。ただし、これらの処理は、蓋部１００Ａを開けた状態で行った方が時間がかからず操作も簡単である。
【０１０２】
すなわち、使用者は、炊飯器部１００の前面に設けられた計量表示部１０２（図２参照）を見ながら、炊飯器部１００にセットした内釜１２１の水量を調整する。例えば、内釜１２１に水を入れ過ぎた場合は、計量表示部１０２を見ながら適当な水量になるまで内釜１２１から水をすくい出す。蓋部１００Ａが開いた状態でも、前後左右方向のふらつきをなくし、安定して重量を測定することができることは重要である。
【０１０３】
（重量センサー回路構成例）
次に、重量センサー回路構成例について説明する。上記の説明では、四隅の重量センサーのセンサー値を平均することで被炊飯物の重量を算出することとしているが（図１５のＳ８１→Ｓ８２）、これに限定されるものではない。すなわち、四隅の重量センサーのセンサー値の合計で被炊飯物の重量を算出することも可能である。
【０１０４】
図１９は、実施の形態に係るＩＨ炊飯器１が備える重量センサーの回路構成図であり、図２０は、図１９に示される単一ロードセルの回路構成図である。この重量センサーは、図１９に示すように、ロードセルＳＥＬ１〜ＳＥＬ４と、差動増幅回路１１と、Ａ／Ｄコンバータ（１２ｂｉｔ）１２と、ＣＰＵ１３と、ＲＣ平滑回路１４とを備える。ロードセルＳＥＬ１〜ＳＥＬ４は、図２０に示すような単一ロードセルを４個直列に繋いだものである。４個の単一ロードセルのトータルの微小電圧信号が出力されるようになっている。
【０１０５】
まず、回路基本動作について説明する。ロードセルＳＥＬ１〜ＳＥＬ４のブリッジ結線から、印加重量（歪み量）に応じた微小電圧信号（アナログ小信号）が出力される。この微小電圧信号を差動増幅回路１１で電圧増幅し、増幅させたアナログ電圧信号をＡ／Ｄコンバータ１２でデジタル信号に変換し、その重畳データをＩ２Ｃ通信によりＣＰＵ１３に伝達する。
【０１０６】
次に、ＣＰＵ１３によるオフセット調整（マイコン制御）について説明する。重量計測の必要範囲は、「空の内釜１２１を入れた状態（約５ｋｇ）」〜「内釜１２１に３合の米と水を入れた状態（約６ｋｇ）」である。そのため、歪ゲージを重量検知脚２２３に搭載する場合、ゼロｇから６ｋｇまで計測させる必要があり、５ｋｇ〜６ｋｇ範囲の計測精度が低下してしまう。また、差動増幅回路１１の出力ゼロＶ付近では、ノイズ等の影響を受け、計測精度が低下してしまう。
【０１０７】
これらの問題を改善するため、ＣＰＵ１３は、「空の内釜１２１を入れた状態（約５ｋｇ）」時に、差動増幅回路１１の出力電圧＝１Ｖ〜１．５Ｖの範囲になるよう、ＰＷＭ信号を出力する。工場検査の工程で全数個別調整するようにしている。また、ＣＰＵ１３は、「内釜１２１に３合の米と水を入れた状態（約６ｋｇ）」時に、差動増幅回路１１の出力電圧＝Ｖｃｃ−１Ｖ程度になるよう、差動増幅回路１１のゲインを調整する。これにより、必要計測範囲（５ｋｇ〜６ｋｇ）の計測精度を確保し、ノイズ等の影響も受けにくい重量センサーを実現することができる。
【０１０８】
以上のように、実施の形態に係るＩＨ炊飯器１は、着脱自在に内釜１２１が収容される本体と、本体に開閉可能に設けられた蓋部１００Ａと、蓋部１００Ａを開閉させるために本体上部に設けられる回転軸１２９ａを有する蓋ヒンジ１２９と、本体の底面に設けられる４つ以上の脚とを備え、脚の少なくとも４つが重量を検知するための重量検知脚２２３であり、４つの重量検知脚２２３は、蓋部１００Ａを開けた状態のＩＨ炊飯器１の重心Ｇに対して、蓋ヒンジ１２９側で回転軸１２９ａ方向に対して両端に位置する２つのヒンジ側重量検知脚２２３Ｃ，２２３Ｄと、蓋ヒンジ１２９の反対側で回転軸１２９ａ方向に対して両端に位置する２つの逆ヒンジ側重量検知脚２２３Ａ，２２３Ｂとで構成され、蓋部１００Ａを開けた状態のＩＨ炊飯器１の重心Ｇは、２つのヒンジ側重量検知脚２２３Ｃ，２２３Ｄと２つの逆ヒンジ側重量検知脚２２３Ａ，２２３Ｂとで形成される２つの仮想対角線Ｌ１，Ｌ２の交点Ｐに対して蓋ヒンジ１２９側に位置し、蓋部１００Ａを開けた状態で４つの重量検知脚２２３を用いて重量を測定する。これにより、重量検知脚２２３が蓋ヒンジ１２９側に２つあり、重心Ｇが２つの仮想対角線Ｌ１，Ｌ２の交点Ｐより蓋ヒンジ１２９側にあるため、前後左右方向のふらつきをなくし、安定して重量を測定することができる。
【０１０９】
また、蓋部１００Ａを開けた状態のＩＨ炊飯器１の重心Ｇは、内釜１２１の中心の直下近傍に配置されてもよい。これにより、重心Ｇが内釜１２１の中心部に配置され、米の偏りや水投入による振動を殆ど受けない。
【０１１０】
また、ＩＨ炊飯器１の操作開始に際し、蓋部１００Ａが開いている状態で重量センサーのゼロ点調整を行ってもよい。これにより、蓋部１００Ａが開いている状態で重量センサーの経時変化を吸収し、高精度の重量測定を維持することができる。
【０１１１】
また、ゼロ点調整を行った後、蓋部１００Ａが開いている状態で内釜１２１に収容された被炊飯物の重量を計量してもよい。これにより、蓋部１００Ａが開いている状態で水量を精確に調整することができるため、いちいち蓋部１００Ａを閉めて重量測定する必要がなく、操作が簡単である。
【０１１２】
なお、ここでは上下分離型のＩＨ炊飯器１を例示して説明したが、上記したような炊飯器の重心位置に対する重量検知脚の配置関係は、上下に分離しない一般的な炊飯器に適用することもできるし、マイコン式の炊飯器に適用することもできる。
【０１１３】
[その他の実施の形態]
上記のように、実施の形態によって記載したが、この開示の一部をなす論述および図面は例示的なものであり、これに限定するものであると理解すべきではない。この開示から当業者には様々な代替実施の形態、実施例および運用技術が明らかとなろう。
【０１１４】
このように、本実施の形態はここでは記載していない様々な実施の形態などを含む。例えば、重量センサーをＩＨ調理器２００側に設けた場合を例示したが、重量センサーは炊飯器部１００側に設けることも可能である。また重量センサーとして歪ゲージ以外に、圧力センサーや他タイプのロードセルなどを用いることもできる。
【産業上の利用可能性】
【０１１５】
本実施の形態の炊飯器は、操作性を向上させることが必要な上下分離型のＩＨ炊飯器などに適用することができる。
【符号の説明】
【０１１６】
１…ＩＨ炊飯器（炊飯器）
１００…炊飯器部
１０１…炊飯器操作部
１０２…計量表示部
１１１…検知用磁石
１１２…通信端子
１１３…電力受給コイル
１２１…内釜（炊飯釜）
１２２…インターフェース基板
１２３…計量表示基板
１２４…蓋ロック機構
１２６…炊飯器操作基板
１２７…内蓋
１２８…蒸気筒
１２９…蓋ヒンジ
１３１…サーミスタ（温度計測部）
２００…ＩＨ調理器（電磁調理器）
２０１…ＩＨ操作部（電磁調理器操作部）
２１１…ＩＨコイル（加熱コイル）
２１２…電力供給コイル
２１３…通信端子
２１４…リードスイッチ
２２１…ＦＡＮ
２２３…台座部（重量検知脚）
２２４…ＩＨ操作基板
２２４ａ…重量センサー基板
２２３Ａ…ベース部材
２２３Ｂ…歪ゲージ
２２３Ｃ…重量センサー台座
２２３Ｄ…ゴム足
２２３Ｅ…重量センサーカバー
２２５…メイン基板
２２６…マグネットプラグ
Ｄ１，Ｄ１１…表示部
Ｂ１…メニューボタン
Ｂ２…保温／取消ボタン
Ｂ３…米銘柄ボタン
Ｂ４…炊飯ボタン
Ｂ１１…計量ボタン
【図１】
0006450801.tif 000002
【図２】
0006450801.tif 000003
【図３】
0006450801.tif 000004
【図４】
0006450801.tif 000005
【図５】
0006450801.tif 000006
【図６】
0006450801.tif 000007
【図７】
0006450801.tif 000008
【図８】
0006450801.tif 000009
【図９】
0006450801.tif 000010
【図１０】
0006450801.tif 000011
【図１１】
0006450801.tif 000012
【図１２】
0006450801.tif 000013
【図１３Ａ】
0006450801.tif 000014
【図１３Ｂ】
0006450801.tif 000015
【図１３Ｃ】
0006450801.tif 000016
【図１３Ｄ】
0006450801.tif 000017
【図１３Ｅ】
0006450801.tif 000018
【図１４】
0006450801.tif 000019
【図１５】
0006450801.tif 000020
【図１６】
0006450801.tif 000021
【図１７】
0006450801.tif 000022
【図１８】
0006450801.tif 000023
【図１９】
0006450801.tif 000024
【図２０】
0006450801.tif 000025